(57)【要約】【課題】本発明は、電気めっき装置に関する。【解決手段】本発明の実施例による電気めっき装置１００は、めっき対象１１０を固定する固定治具１２０と、前記めっき対象の両側にそれぞれ対向して離隔配置され、前記めっき対象１１０にめっき液を提供するノズル１５０と、前記めっき対象１１０と前記ノズル１５０との間に配置されて多段に形成された遮蔽膜１３０と、前記遮蔽膜１３０を固定する固定部１４０と、を含むことを特徴とする。【選択図】図１
2013091844.tif 000002
【特許請求の範囲】
【請求項１】
めっき対象を固定する固定治具と、
前記めっき対象の両側にそれぞれ対向して離隔配置され、前記めっき対象にめっき液を提供するノズルと、
前記めっき対象と前記ノズルとの間に配置されて多段に形成された遮蔽膜と、
前記遮蔽膜を固定する固定部と、
を含む電気めっき装置。
【請求項２】
前記めっき対象は、プリント回路基板である請求項１に記載の電気めっき装置。
【請求項３】
前記遮蔽膜は、中央部と、縁部とを含み、
前記中央部は、前記縁部より前記めっき対象に近く形成されるように、前記縁部と段差をもって形成される請求項１に記載の電気めっき装置。
【請求項４】
前記遮蔽膜の中央部は、一部に開口部を有する請求項３に記載の電気めっき装置。
【請求項５】
前記遮蔽膜は、領域ごとに相違する直径サイズを有する多数の貫通孔が形成される請求項１に記載の電気めっき装置。
【請求項６】
前記固定治具の前記めっき対象の接触領域に形成された多数の電極接点をさらに含む請求項１に記載の電気めっき装置。
【請求項７】
前記電極接点は陰極である請求項６に記載の電気めっき装置。
【請求項８】
前記電極接点それぞれのめっき対象の接触領域に、前記電極接点の縁に沿って形成された衝撃防止リングをさらに含む請求項６に記載の電気めっき装置。
【請求項９】
前記衝撃防止リングはバイトン材質からなる請求項８に記載の電気めっき装置。
【請求項１０】
めっき液を収容するめっき槽をさらに含む請求項１に記載の電気めっき装置。
【請求項１１】
めっき対象を固定する固定治具と、
前記めっき対象の両側にそれぞれ対向して離隔配置され、前記めっき対象にめっき液を提供するノズルと、
前記めっき対象と前記ノズルとの間に配置されて多段に形成された遮蔽膜と、
前記遮蔽膜と前記ノズルとの間に配置されるように形成されたフィルターと、
前記遮蔽膜及び前記フィルターを固定する固定部と、
を含む電気めっき装置。
【請求項１２】
前記フィルターは多層フィルターである請求項１１に記載の電気めっき装置。
【請求項１３】
前記フィルターは、多層フィルターで構成され、
前記多層フィルターは、一層フィルター、二層フィルター及び三層フィルターが順に積層され、前記二層フィルターは、前記一層フィルター及び前記三層フィルターの素材より組織密度が高い素材からなる請求項１１に記載の電気めっき装置。
【請求項１４】
前記めっき対象はプリント回路基板である請求項１１に記載の電気めっき装置。
【請求項１５】
前記遮蔽膜は、中央部と、縁部とを含み、
前記中央部は、前記縁部より前記めっき対象に近く形成されるように前記縁部と段差をもって形成される請求項１１に記載の電気めっき装置。
【請求項１６】
前記遮蔽膜の中央部は、一部に開口部を有する請求項１５に記載の電気めっき装置。
【請求項１７】
前記遮蔽膜は、領域ごとに相違する直径サイズを有する多数の貫通孔が形成される請求項１１に記載の電気めっき装置。
【請求項１８】
前記固定治具の前記めっき対象の接触領域に形成された多数の電極接点をさらに含む請求項１１に記載の電気めっき装置。
【請求項１９】
前記電極接点それぞれのめっき対象の接触領域に、前記電極接点の縁に沿って形成された衝撃防止リングをさらに含む請求項１８に記載の電気めっき装置。
【請求項２０】
めっき液を収容するめっき槽をさらに含む請求項１１に記載の電気めっき装置。
【発明の詳細な説明】
【技術分野】
【０００１】
本発明は、電気めっき装置に関する。
【背景技術】
【０００２】
下記の文献１に開示されたものをはじめ、様々な構造のめっき装置は、金属製の装飾や表面保護に用いられるだけでなく、電子部品、プリント回路基板、半導体素子の回路形成など、様々な分野において適用される対象に電気めっきを施すことに用いられている。
【０００３】
電気めっきは、めっきを施すめっき対象をめっき液に投入し、めっき対象をカソード（ｃａｔｈｏｄｅ）に、電着しようとする金属をアノード（ａｎｏｄｅ）にして電気を通電し、所望の金属イオンがめっき対象の表面に析出されるようにすることにより、めっき膜を形成する方法を用いている。
【０００４】
一方、電気めっきを施す場合、めっき対象の全領域に均一な厚さでめっきを施すことが重要な事項の一つである。
【０００５】
しかし、通常、めっき対象に適用される電流密度が相違するため、めっき対象の中央領域と縁領域のめっき厚さに偏差が生じる。
【０００６】
このような問題点を改善するために、様々なめっき方法が研究及び適用されている。
【先行技術文献】
【特許文献】
【０００７】
【特許文献１】韓国登録特許第１０−０９５０９６６号公報
【発明の開示】
【発明が解決しようとする課題】
【０００８】
本発明は、上述した従来技術の問題点を解決するためのものであり、本発明は、めっき対象の全領域に均一なめっき厚さが形成されることができるようにする電気めっき装置を提供することを目的とする。
【課題を解決するための手段】
【０００９】
本発明の実施例による電気めっき装置は、めっき対象を固定する固定治具と、前記めっき対象の両側にそれぞれ対向して離隔配置され、前記めっき対象にめっき液を提供するノズルと、前記めっき対象と前記ノズルとの間に配置されて多段に形成された遮蔽膜と、前記遮蔽膜を固定する固定部と、を含むことができる。
【００１０】
ここで、前記めっき対象はプリント回路基板であってもよい。
【００１１】
また、前記遮蔽膜は、中央部と、縁部とを含み、前記中央部は、前記縁部より前記めっき対象に近く形成されるように前記縁部と段差をもって形成されることができる。
【００１２】
また、前記遮蔽膜の中央部は一部に開口部を有することができる。
【００１３】
また、前記遮蔽膜は、領域ごとに相違する直径サイズを有する多数の貫通孔が形成されることができる。
【００１４】
また、前記固定治具の前記めっき対象の接触領域に形成された多数の電極接点をさらに含むことができる。
【００１５】
また、前記電極接点は陰極であってもよい。
【００１６】
また、前記電極接点それぞれのめっき対象の接触領域に、前記電極接点の縁に沿って形成された衝撃防止リングをさらに含むことができる。
【００１７】
また、前記衝撃防止リングはバイトン材質からなることができる。
【００１８】
また、めっき液を収容するめっき槽をさらに含むことができる。
【００１９】
他の本発明の実施例による電気めっき装置は、めっき対象を固定する固定治具と、前記めっき対象の両側にそれぞれ対向して離隔配置され、前記めっき対象にめっき液を提供するノズルと、前記めっき対象と前記ノズルとの間に配置されて多段に形成された遮蔽膜と、前記遮蔽膜と前記ノズルとの間に配置されるように形成されたフィルターと、前記遮蔽膜及び前記フィルターを固定する固定部と、を含むことができる。
【００２０】
また、前記フィルターは多層フィルターであってもよい。
【００２１】
また、前記フィルターは、多層フィルターで構成され、前記多層フィルターは、一層フィルター、二層フィルター及び三層フィルターが順に積層され、前記二層フィルターは、前記一層フィルター及び前記三層フィルターの素材より組織密度が高い素材からなることができる。
【００２２】
また、前記めっき対象はプリント回路基板であってもよい。
【００２３】
また、前記遮蔽膜は、中央部と、縁部とを含み、前記中央部は、前記縁部より前記めっき対象に近く形成されるように前記縁部と段差をもって形成されることができる。
【００２４】
また、前記遮蔽膜の中央部は、一部に開口部を有することができる。
【００２５】
また、前記遮蔽膜は、領域ごとに相違する直径サイズを有する多数の貫通孔が形成されることができる。
【００２６】
また、前記固定治具の前記めっき対象の接触領域に形成された多数の電極接点をさらに含むことができる。
【００２７】
また、前記電極接点それぞれのめっき対象の接触領域に前記電極接点の縁に沿って形成された衝撃防止リングをさらに含むことができる。
【００２８】
また、めっき液を収容するめっき槽をさらに含むことができる。
【００２９】
本発明の特徴及び利点は添付図面に基づいた以下の詳細な説明によってさらに明らかになるであろう。
【００３０】
本発明の詳細な説明に先立ち、本明細書及び請求範囲に用いられた用語や単語は通常的かつ辞書的な意味に解釈されてはならず、発明者が自らの発明を最善の方法で説明するために用語の概念を適切に定義することができるという原則にしたがって本発明の技術的思想にかなう意味と概念に解釈されるべきである。
【発明の効果】
【００３１】
本発明の実施例による電気めっき装置は、段差をもって形成された多段の遮蔽膜を適用するため、めっき対象に適用される電流密度を均一にすることができ、これにより、めっき対象のめっき厚さの偏差を改善できるという効果が期待できる。
【００３２】
また、本発明の実施例は、めっき対象を固定する固定治具に多数の電極接点を形成するため、めっき対象の電流密度を調節することができるという長所を有する。
【００３３】
また、本発明の実施例は、めっき対象に転写されるめっき液から生じる異物をフィルタリングするフィルターを適用するため、めっき液の異物によって発生するめっき不良を予め防止することができる。
【図面の簡単な説明】
【００３４】
【図１】本発明の実施例による電気めっき装置の構成を示す図面である。
【図２】本発明の実施例による遮蔽膜とフィルターとの連結構造を示す図面である。
【図３】本発明の実施例による遮蔽膜の構成を詳細に示す図面である。
【図４】本発明の実施例によるフィルターの構成を詳細に示す図面である。
【図５】本発明の実施例による固定治具の構成を詳細に示す図面である。
【図６】図５の固定治具の一部を拡大して詳細に示す図面である。
【図７】図６の電極接点を拡大して示す図面である。
【発明を実施するための最良の形態】
【００３５】
本発明の目的、特定の長所及び新規の特徴は添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「第１」、「第２」などの用語は一つの構成要素を他の構成要素と区分するために用いられるものであって、構成要素が前記用語により制限されるものではない。また、本発明を説明するにあたり、係わる公知技術についての具体的な説明が本発明の要旨を不明瞭にする可能性があると判断される場合は、その詳細な説明を省略する。
【００３６】
以下、添付の図面を参照して本発明の好ましい実施例を詳細に説明する。
【００３７】
電気めっき装置−第１実施例
図１は、本発明の実施例による電気めっき装置の構成を示す図面であり、図２は、本発明の実施例による遮蔽膜とフィルターとの連結構造を示す図面であり、図３は、本発明の実施例による遮蔽膜の構成を詳細に示す図面であり、図４は、本発明の実施例によるフィルターの構成を詳細に示す図面であり、図５は、本発明の実施例による固定治具の構成を詳細に示す図面であり、図６は、図５の固定治具の一部を拡大して示す図面であり、図７は、図６の電極接点を拡大して示す図面である。
【００３８】
図１に図示したように、電気めっき装置１００は、めっき対象１１０を固定する固定治具１２０と、めっき対象１１０の両側にそれぞれ対向して離隔配置され、めっき対象１１０にめっき液を提供するノズル１５０と、めっき対象１１０とノズル１５０との間に配置されて多段に形成された遮蔽膜１３０と、遮蔽膜１３０を固定する固定部１４０と、を含むことができる。
【００３９】
ここで、めっき対象１１０は、プリント回路基板であってもよく、これに限定されない。
【００４０】
また、図１及び図２に図示したように、遮蔽膜１３０は、中央部１３１と縁部１３３とを含み、中央部１３１は、縁部１３３よりめっき対象１１０に近く形成されるように縁部１３３と段差をもって形成されることができる。
【００４１】
ここで、遮蔽膜１３０が多段に形成されるため、電極間の距離を調節し、めっき対象１１０に適用される電流密度を均一にすることができるという効果が期待できる。
【００４２】
また、図３に図示したように、遮蔽膜の中央部１３１は、一部に開口部１３７を有することができる。
【００４３】
また、図１〜図３に図示したように、遮蔽膜１３０には、領域ごとに相違する直径サイズを有する多数の貫通孔１３５が形成されることができる。
【００４４】
ここで、多段構造の遮蔽膜１３０に多数の貫通孔１３５をさらに形成するため、貫通孔１３５による開口率の効果により、めっき厚さの偏差の改善能力をさらに向上させることができる。
【００４５】
また、めっき対象１１０に対向して形成された遮蔽膜１３０の領域ごとの貫通孔１３５の直径サイズが相違するように形成して、めっき厚さの偏差の改善を極大化することができる。
【００４６】
例えば、図３に図示したように、遮蔽膜１３０の中央部１３１に形成された貫通孔の直径サイズを縁部１３３に形成された貫通孔の直径サイズより大きく形成することができる。
【００４７】
また、図５〜図７に図示したように、電気めっき装置１００は、固定治具１２０のめっき対象の接触領域に形成された多数の電極接点１２１をさらに含むことができる。
【００４８】
ここで、電極接点１２１は、陰極であってもよい。
【００４９】
図５に図示したように、電極接点１２１は、めっき対象に適用される電流密度の調節のために多数個形成されることが可能である。
【００５０】
ここで、電極接点１２１は、めっき対象の電流密度に応じて領域ごとに形成されるめっき接点の数が相違するように形成することができる。
【００５１】
上記電極接点１２１により、初期電圧を印加する際にめっき対象の電流密度が均一に供給されることができるという効果が期待できる。
【００５２】
また、図示してはいないが、固定治具１２０には腐食防止のためのコーティング層が形成されることができる。
【００５３】
また、図６及び図７に図示したように、電気めっき装置１００は、電極接点１２１それぞれのめっき対象の接触領域に、電極接点１２１の縁に沿って形成された衝撃防止リング１２３をさらに含むことができる。
【００５４】
図６及び図７に図示したように、衝撃防止リング１２３は、電極接点１２１のめっき対象の接触面にＯリング状に形成され、電極接点１２１より先にめっき対象１１０に接触して製品（例えば、めっき対象）の衝撃を最小化することができるようにする。
【００５５】
その後、電極接点１２１は、衝撃防止リング１２３が先にめっき対象１１０に接触した後、衝撃防止リングが押圧されてめっき対象１１０に接触する。
【００５６】
このために、衝撃防止リング１２３は弾性材質からなることができる。
【００５７】
例えば、衝撃防止リングは、高温とめっき液に耐えることができるバイトン材質からなることができ、これに限定されない。
【００５８】
また、電気めっき装置１００は、めっき液を収容するめっき槽１７０をさらに含むことができる。
【００５９】
上記めっき対象１１０と、固定治具１２０と、遮蔽膜１３０とを含む電気めっき装置１００の構成はめっき槽１７０内に配置される。
【００６０】
電気めっき装置−第２実施例
以下、図１〜図７を参照し、フィルターをさらに構成した電気めっき装置の第２実施例を例に挙げて、めっき装置の構成について説明する。
【００６１】
但し、第２実施例に対する構成のうち第１実施例の構成と同一の構成に対する説明は省略し、相違する部分についてのみ説明する。
【００６２】
図１に図示したように、電気めっき装置１００は、めっき対象１１０を固定する固定治具１２０と、めっき対象１１０の両側にそれぞれ対向して離隔配置され、めっき対象１１０にめっき液を提供するノズル１５０と、めっき対象１１０とノズル１５０との間に配置されて多段に形成された遮蔽膜１３０と、遮蔽膜１３０とノズル１５０との間に配置されるように形成されたフィルター１６０と、遮蔽膜１３０及びフィルター１６０を固定する固定部１４０と、を含むことができる。
【００６３】
また、図４に図示したように、フィルター１６０は多層フィルターであってもよい。
【００６４】
前記多層フィルターは、一層フィルター１６１、二層フィルター１６２及び三層フィルター１６３が順に積層され、二層フィルター１６２は、一層フィルター１６１及び三層フィルター１６３の素材より組織密度が高い素材からなることができる。
【００６５】
ここで、フィルター１６０は、多層に構成されるため、めっき液の流動による搖れと変形を最小化することができるという効果が期待できる。
【００６６】
また、フィルター１６０は、ファイバー（Ｆｉｂｅｒ）素材からなることができる。
【００６７】
ここで、一層フィルター１６１及び三層フィルター１６３は、太いファイバー素材で織る場合、広い間隔で製造してめっき液が通過する際に膜の損傷を最小化する支持機能を行い、異物の捕捉能力を向上できるようにする。
【００６８】
また、二層フィルター１６２は、めっき液の異物をフィルタリングする主要機能を行うことができるように、一層フィルター１６１及び三層フィルター１６３より薄いファイバー素材で製造してフィルターの空隙率と濾過効率を極大化できるようにする。
【００６９】
例えば、二層フィルター１６２は、ポリプロピレン（Ｐｏｌｙｐｒｏｐｙｌｅｎｅ）またはポリテトラフルオロエチレン（Ｐｏｌｙｔｅｔｒａｆｌｕｏｒｏｅｔｈｙｌｅｎｅ；ＰＴＦＥ）などからなることができ、これに限定されない。
【００７０】
また、二層フィルター１６２は、網構造を有しており、異物のサイズに応じてホールサイズを変更設定することができる。
【００７１】
また、図２に図示したように、固定部１４０は、ねじのような連結部材を利用して遮蔽膜１３０とフィルター１６０とを固定する。
【００７２】
また、めっき対象１１０は、プリント回路基板であってもよい。
【００７３】
また、図１及び図２に図示したように、遮蔽膜１３０は、中央部１３１と、縁部１３３とを含み、中央部１３１は、縁部１３３よりめっき対象１１０に近く形成されるように縁部１３３と段差をもって形成されることができる。
【００７４】
ここで、遮蔽膜１３０が多段に形成されるため、電極間の距離を調節してめっき対象１１０に適用される電流密度を均一にすることができるという効果が期待できる。
【００７５】
また、図３に図示したように、遮蔽膜の中央部１３１は、一部に開口部１３７を有することができる。
【００７６】
また、図１〜図３に図示したように、遮蔽膜１３０は、領域ごとに相違する直径サイズを有する多数の貫通孔１３５が形成されることができる。
【００７７】
ここで、多段構造の遮蔽膜１３０に多数の貫通孔１３５をさらに形成するため、貫通孔１３５による開口率の効果により、めっき厚さの偏差の改善能力をさらに向上させることができる。
【００７８】
また、めっき対象１１０に対向して形成された遮蔽膜１３０の領域ごとの貫通孔１３５の直径サイズが相違するように形成して、めっき厚さの偏差の改善を極大化することができる。
【００７９】
例えば、図３に図示したように、遮蔽膜１３０の中央部１３１に形成された貫通孔の直径サイズを縁部１３３に形成された貫通孔の直径サイズより大きく形成することができる。
【００８０】
また、図５〜図７に図示したように、電気めっき装置１００は、固定治具１２０のめっき対象の接触領域に形成された多数の電極接点１２１をさらに含むことができる。
【００８１】
ここで、電極接点１２１は陰極であってもよい。
【００８２】
図５に図示したように、電極接点１２１は、めっき対象に適用される電流密度の調節のために多数個形成されることが可能である。
【００８３】
ここで、電極接点１２１は、めっき対象の電流密度に応じて領域ごとに形成されるめっき接点の数が相違するように形成することができる。
【００８４】
上記電極接点１２１により初期電圧を印加する際にめっき対象の電流密度が均一に供給されることができるという効果が期待できる。
【００８５】
また、図示してはいないが、固定治具１２０には、腐食防止のためのコーティング層が形成されることができる。
【００８６】
また、図６及び図７に図示したように、電気めっき装置１００は、電極接点１２１それぞれのめっき対象の接触領域に、電極接点１２１の縁に沿って形成された衝撃防止リング１２３をさらに含むことができる。
【００８７】
図６及び図７に図示したように、衝撃防止リング１２３は、電極接点１２１のめっき対象１１０の接触面にＯリング状に形成され、電極接点１２１より先にめっき対象１１０に接触して製品（例えば、めっき対象）の衝撃を最小化することができるようにする。
【００８８】
電極接点１２１は、衝撃防止リング１２３が先にめっき対象１１０に接触された後、衝撃防止リングが押されながらめっき対象１１０に接触される。
【００８９】
このために、衝撃防止リング１２３は、弾性材質からなることができる。
【００９０】
例えば、衝撃防止リングは、バイトン材質からなることができ、これに限定されない。
【００９１】
また、衝撃防止リング１２３は、めっき液の浸透を防止する機能も行い、電極接点１２１がめっき液に露出して腐食されることを防止することができる。
【００９２】
また、電気めっき装置１００は、めっき液を収容するめっき槽１７０をさらに含むことができる。
【００９３】
上記めっき対象１１０と、固定治具１２０と、遮蔽膜１３０とを含む電気めっき装置１００の構成は、めっき槽１７０内に配置される。
【００９４】
以上、本発明を好ましい実施例に基づいて詳細に説明したが、これは本発明を具体的に説明するためのものであり、本発明による電気めっき装置はこれに限定されず、該当分野における通常の知識を有する者である場合、本発明の技術的思想内にての変形や改良が可能であることは明白であろう。
【００９５】
本発明の単純な変形乃至変更はいずれも本発明の領域に属するものであり、本発明の具体的な保護範囲は添付の特許請求の範囲により明確になるであろう。
【符号の説明】
【００９６】
１００  電気めっき装置
１１０  めっき対象
１２０  固定治具
１２１  電極接点
１２３  衝撃防止リング
１３０  遮蔽膜
１３１  遮蔽膜の中央部
１３３  遮蔽膜の縁部
１３５  貫通孔
１３７  開口部
１４０  固定部
１５０  ノズル
１６０、１６１、１６２、１６３  フィルター
１７０  めっき槽
【図１】
2013091844.tif 000003
【図２】
2013091844.tif 000004
【図３】
2013091844.tif 000005
【図４】
2013091844.tif 000006
【図５】
2013091844.tif 000007
【図６】
2013091844.tif 000008
【図７】
2013091844.tif 000009